(57)【要約】【課題】楽器の演奏中に楽譜のページをめくる時、２つの作業（ページをめくる作業と開いたページを固定する作業）を、演奏を中断しなければできないという問題があった。【解決手段】長手方向に磁石または磁石につく金属を備えた第１クリップと、当該第１クリップよりも小さく磁石または磁石につく金属を備えた１または複数の第２クリップとからなる、ページめくり補助器具。具体的には、前記第１のクリップはその長手方向を本の側辺または上辺または下辺に沿って配置し、前記第２のクリップは本の側辺または上辺または下辺の所望の位置に配置して利用されるものであって、さらに各クリップは、２つのクリップ片と付勢部材とから構成され、同じ回転軸を中心に回転する２つの前記クリップ片の先端が向かい合って当接されるように付勢され、この当接された状態で２つの前記各クリップ片の他端側は所定の幅に離間されるものであるページめくり補助器具。【選択図】図１
2018103598.tif 000002
【特許請求の範囲】
【請求項１】
長手方向に磁石または磁石につく金属を備えた第１クリップと、当該第１クリップよりも小さく磁石または磁石につく金属を備えた１または複数の第２クリップとからなる、ページめくり補助器具。
【請求項２】
前記第１のクリップはその長手方向を本の側辺または上辺または下辺に沿って配置し、前記第２のクリップは本の側辺または上辺または下辺の所望の位置に配置して利用されるものであって、さらに各クリップは、２つのクリップ片と付勢部材とから構成され、同じ回転軸を中心に回転する２つの前記クリップ片の先端が向かい合って当接されるように付勢され、この当接された状態で２つの前記各クリップ片の他端側は所定の幅に離間されるものであり、前記回転軸と直交する平面上にある断面が略三角形である、請求項１に記載の本のページめくり補助器具。
【請求項３】
第２のクリップは、つまむ部分に厚みを有し、この厚みによって指にかかりやすくなることを特徴とする請求項１に記載の本のページめくり補助器具。
【請求項４】
各クリップが、紙を挟む部分に滑り防止部を備えたことを特徴とする、請求項１に記載の本のページめくり補助器具
【発明の詳細な説明】
【技術分野】
【０００１】譜面台に置いた楽譜のページをめくる操作を補助するページめくり補助に関する技術である。
【背景技術】
【０００２】Ｑ字クリップ部と、一方に磁性体または磁力で貼着可能な素材部を一体化したクリップ体と、そのクリップ体が貼着可能な磁性を有するゴムマグネットである下敷きとを別体で構成するページホルダー（特許文献１）。
【先行技術文献】
【特許文献】
【０００３】
【特許文献１】実用新案登録第３１４９９１８号
【発明の概要】
【発明が解決しようとする課題】
【０００４】譜面台に置いた楽譜のページを素早くめくる目的と、ページのはね返りを防ぎ、開いたページを保持することを目的とする、ページめくり補助器具。
楽器の演奏中に楽譜のページをめくる時、２つの作業（ページをめくる作業と開いたページを固定する作業）を、曲を中断することなく短い時間でしなければならない。【０００５】しかし上記特許文献１に記載の発明はページをめくる際に、Ｑ字のクリップは厚みがないため指にかかりにくく、ページを瞬時にめくり難い。【０００６】また、Ｑ字クリップを装着する際に、紙をつまんでＱ字クリップの隙間にページの紙を差し込む作業は、手間がかかる。またこの作業を何回も繰り返すとページの紙がよれて傷んでしまう。【０００７】また、マグネットシートがずれてしまうので、クリップを装着したまま楽譜を移動させるのは困難である。【０００８】実際に楽器の演奏中に楽譜のページをめくる時、２つの作業（ページをめくる作業と開いたページを固定する作業）を、曲を中断することなく瞬時にしなければならない。よって、譜面台に置いた楽譜のページを素早くめくることと、ページのはね返りを防ぎ、開いたページをしっかりと保持することを可能とするページめくり補助器具を実現することを目的とする。
【課題を解決するための手段】
【０００９】長手方向に磁石または磁石につく金属を備えた第１クリップと、当該第１クリップよりも小さく磁石または磁石につく金属を備えた１または複数の第２クリップとからなる、ページめくり補助器具。【００１０】前記第１のクリップはその長手方向を本の側辺または上辺に沿って配置し、前記第２のクリップは前記側辺または上辺の所望の位置に配置して利用されるものであって、さらに各クリップは、２つのクリップ片と付勢部材とから構成され、同じ回転軸を中心に回転する２つの前記クリップ片の先端が向かい合って当接されるように付勢され、この当接された状態で２つの前記各クリップ片の他端側は所定の幅に離間されるものであり、前記回転軸と直交する平面上にある断面が略三角形であるページめくり補助器具。【００１１】なお、クリップを配置する位置は上辺や側辺だけでなく下辺に設けてもよい。【００１２】クリップは挟む形式（洗濯バサミの様式）であるので厚み（略三角形）がありこの厚みによって指にかかりやすくなる。またクリップを紙に装着した時に滑らないように、紙を挟む部分に滑り防止部（ゴム、またはシリコンなど）を付ける。
【発明の効果】
【００１３】クリップに厚みがあるため、ページをめくる際に指にかかりやすいので、瞬時にページをめくることができる。【００１４】挟む形式（洗濯バサミの様式）のクリップなので、ページの紙に簡単に装着できまた紙に負担がかかりにくく、よれて傷む心配がない。【００１５】楽譜の中の１曲を仕上げるまでには一定期間の練習を必要とする。この期間中は何度も同じページを反復して開くことになるので、その都度クリップの着脱をするのは面倒である。本発明においては、クリップが各ページにしっかり保持されるので、１度クリップを装着したら、そのままの状態で楽譜を閉じて持ち運ぶことができる。【００１６】エアコンや風などで楽譜のページがめくれやすいが、クリップの磁石により開いたページをしっかり保持できる。
【図面の簡単な説明】
【００１７】
【図１】本発明のページめくり補助器具の使用状況。
【図２】本発明の固定用クリップの図と断面図。
【図３】本発明のページ用クリップの図と断面図。
【図４】本発明のページめくり補助器具の使用状況を示す写真。
【発明を実施するための形態】
【００１８】クリップＡとクリップＢの大きさや形によって、磁力が様々であるのに対して、適正な磁力として、ページの保持が確実になされ、かつページめくり動作に伴って、適度の力でページ離れするような範囲であることが少なくとも必要である。
【００１９】ここではクリップＡに磁石につく金属を使用し、クリップＢは磁石を使用する。
【００２０】以下、本発明の実施の形態を図面に従い説明する。
【００２１】図１で示すクリップＡ１、Ａ２は、図３で示されるように、楽譜の左側と右側に装着する。ａ２の部分は、磁石につく金属を使用する。
【００２２】クリップＡの重さの目安は、一般的なサイズの楽譜（縦３０４ｍｍ，横２２７ｍｍ）に使用する場合、８５〜１００ｇくらいがよい。
大きさの目安は、一般的なサイズの楽譜（縦３０４ｍｍ，横２２７ｍｍ）に使用する場合は、縦１６０ｍｍ、横４０ｍｍくらいがよい。（金属部分の大きさの目安でもある）
【００２３】クリップＢは、重すぎると紙が折れ曲がったり、軽すぎるとページめくりがスムーズにいかない。よって重さの範囲の目安は、一般的なサイズの楽譜（縦３０４ｍｍ，横２２７ｍｍ）に使用する場合、２ｇ〜９ｇくらいで特に４ｇ〜６．５ｇがページめくりの操作性が良い。
【００２４】クリップＢは、その回転軸に対して左右の重さを略等しくなるように構成すると、ページをめくるときの操作性が良好となる。
【００２５】また、クリップＢの大きさの目安は、一般的なサイズの楽譜の場合、縦３３ｍｍ、横１５ｍｍくらいがよい。クリップＢに取り付ける磁石の表面磁束密度は９４ミリテスラくらい、磁石の大きさは丸形直径１０ｍｍ、厚さ３ｍｍくらいで良好に使用できるが、クリップＡに金属を使用した場合、クリップＢの磁石の吸着力の目安は、実際にページをめくった際に手にかかる負荷、及びページの保持能力によって決める。
【００２６】なお、上記実施例は典型例であり、［００１３］−［００１６］に記載した効果が得られるような様々なパラメータ値の組み合わせが採用可能である。また、楽譜のサイズに応じても、パラメータ値を適当な値に設定できる。また、他の様々な工夫がなされてよい。例えばクリップに付ける金属の角を縁取りして、ページをめくるときの怪我防止とするような態様も適宜なされてよい。
【実施例】
【００２７】楽譜のサイズ（一般的なサイズ  縦３０４ｍｍ  横２２７ｍｍ  ）
クリップＡ  本体  金属部分  （縦  １６０ｍｍ  横４０ｍｍ  ）
把手部分  台形（上底３５ｍｍ  下底４０ｍｍ  高さ１８ｍｍ）
厚さ  （２０ｍｍ）
クリップＢ  本体  （縦  ３３ｍｍ    横１５ｍｍ  ）
磁石  異方性フェライト磁石丸形（直径１０ｍｍ  高さ３ｍｍ）
厚さ  （１３ｍｍ）【００２８】楽譜の必要ページの最初を開きクリップＡ１を表表紙まで一緒に挟む。同様に必要ページの最後を開きクリップＡ２を裏表紙まで一緒に挟む。【００２９】必要ページの各１ページごとにＢのクリップを装着する。【００３０】ページをめくる場合、Ａ２にＢのクリップが付着した状態からＢのクリップを指にかけてめくり、Ａ２からＡ１にＢのクリップを移動させる。またページを戻す際もＡ１からＡ２にＢのクリップを移動させる。ページ戻りやはね返りを押さえながらページを素早くめくることができる。
【符号の説明】
【００３１】  Ａ１・Ａ２：固定用クリップ
ａ１：クリップ部
ａ２：磁石または金属部
Ｂ：ページ用クリップ
ｂ１：クリップ部
ｂ２：磁石または金属部
Ｃ：楽譜
【図１】
2018103598.tif 000003
【図２】
2018103598.tif 000004
【図３】
2018103598.tif 000005
【図４】
2018103598.tif 000006